(57)【特許請求の範囲】
【請求項１】
真空遮断器（２）用の固定留め具（１００）であって、前記真空遮断器（２）が管状セラミック部材（１０）、管状シールド部材（３０）及び一対の分離可能接点（４）を備え、前記シールド部材（３０）が前記セラミック部材（１０）に対して内側に配置され、前記分離可能接点（４）が前記シールド部材（３０）に対して内側に配置された固定留め具（１００）であって、
前記セラミック部材（１０）に取り付けられる構造のベース（１０１）と、
前記ベース（１０１）から延びる少なくとも１つのフレキシブルアーム（１２０、１５０、１６０、１７０、１８０、１９０）と、
を備え、
前記少なくとも１つのフレキシブルアーム（１２０、１５０、１６０、１７０、１８０、１９０）が、前記シールド部材（３０）を前記セラミック部材（１０）で保持するために、前記シールド部材（３０）と係合する構造であり、
前記少なくとも１つのフレキシブルアーム（１２０、１５０、１６０、１７０、１８０、１９０）は、前記シールド部材（３０）を前記セラミック部材（１０）で保持するために一部が前記シールド部材（３０）の中へと延びる鉤爪部（１２７）を備える、固定留め具（１００）。
【請求項２】
前記ベース（１０１）が円環形であり、前記少なくとも１つのフレキシブルアーム（１２０、１５０、１６０、１７０、１８０、１９０）が複数のフレキシブルアーム（１２０、１５０、１６０、１７０、１８０、１９０）である、請求項１に記載の固定留め具（１００）。
【請求項３】
前記複数のフレキシブルアーム（１２０、１５０、１６０、１７０、１８０、１９０）が各所定の位置（１０４、１０５、１０６、１０７、１０８、１０９）で前記ベース（１０１）から延び、前記所定の位置（１０４、１０５、１０６、１０７、１０８、１０９）が互いに対して等しく間隔が空いている、請求項２に記載の固定留め具（１００）。
【請求項４】
前記複数のフレキシブルアーム（１２０、１５０、１６０、１７０、１８０、１９０）が第１フレキシブルアーム（１２０）、第２フレキシブルアーム（１５０）、第３フレキシブルアーム（１６０）、第４フレキシブルアーム（１７０）、第５フレキシブルアーム（１８０）及び第６フレキシブルアーム（１９０）を備える、請求項３に記載の固定留め具（１００）。
【請求項５】
前記ベース（１０１）が円環形であり、前記ベース（１０１）が中心軸（１１０）を有し、前記少なくとも１つのフレキシブルアーム（１２０）が隆起部（１２１）をさらに備え、前記鉤爪部（１２７）が前記ベース（１０１）から離れ、前記隆起部（１２１）が前記鉤爪部（１２７）を前記ベース（１０１）へ接続しており、前記鉤爪部（１２７）と前記隆起部（１２１）のそれぞれが前記中心軸（１１０）に対して凹状となっている、請求項１に記載の固定留め具（１００）。
【請求項６】
前記隆起部（１２１）が第１脚（１２２）、第２脚（１２４）及び第３脚（１２６）を備え、前記鉤爪部（１２７）が第４脚（１２８）、第５脚（１３０）及び第６脚（１３２）を備え、前記第１脚（１２２）が前記ベース（１０１）から延び、前記第２脚（１２４）が前記第１脚（１２２）を前記第３脚（１２６）へ接続し、前記第３脚（１２６）が前記第２脚（１２４）を前記第４脚（１２８）へ接続し、前記第４脚（１２８）が前記第３脚（１２６）を前記第５脚（１３０）へ接続し、前記第５脚（１３０）が前記第４脚（１２８）を前記第６脚（１３２）へ接続し、前記第６脚（１３２）が前記シールド部材（３０）を前記セラミック部材（１０）で保持するために少なくとも一部が前記シールド部材（３０）の中へと延び、前記第２脚（１２４）が前記第３脚（１２６）に対して第１の角度（１３４）を成し、前記第５脚（１３０）が前記第６脚（１３２）に対して第２の角度（１３６）を成し、前記第２の角度（１３６）が９０度未満であり、前記第１の角度（１３４）が前記第２の角度（１３６）より大きい、請求項５に記載の固定留め具（１００）。
【請求項７】
管状セラミック部材（１０）と、
前記セラミック部材（１０）に対して内側に配置された管状シールド部材（３０）と、
前記シールド部材（３０）に対して内側に配置された一対の分離可能接点（４）と、
請求項１から６のいずれか１項に記載の固定留め具（１００）と、
を備える真空遮断器（２）。
【請求項８】
前記セラミック部材（１０）が壁部（１２）と前記壁部（１２）から内側へ延びる突起（１４）を備え、前記固定留め具（１００）が前記壁部（１２）と前記突起（１４）のそれぞれに対して完全に外側に配置される、請求項７に記載の真空遮断器（２）。
【請求項９】
前記セラミック部材（１０）が壁部（１２）と前記壁部（１２）から内側へ延びる突起（１４）を備え、前記少なくとも１つのフレキシブルアーム（１２０、１５０、１６０、１７０、１８０、１９０）が少なくとも部分的に前記突起（１４）と前記シールド部材（３０）の間に配置される、請求項７に記載の真空遮断器（２）。
【請求項１０】
前記突起（１４）が円環形であり、前記突起（１４）が第１面（１６）と第２面（１８）を備え、前記第１面（１６）が前記壁部（１２）と平行な方向（１７）を向いており、前記第２面（１８）が前記第１面（１６）と略垂直であり、前記ベース（１０１）が円環形円筒部（１０２）と前記円筒部（１０２）から外側へ延びる円環形平面部（１０３）を備え、前記平面部（１０３）が前記第１面（１６）と略同じ高さであり、前記円筒部（１０２）が前記第２面（１８）と略平行である、請求項９に記載の真空遮断器（２）。
【請求項１１】
前記シールド部材（３０）が円環形レッジ（３４）を備え、前記レッジ（３４）が前記平面部（１０３）と略平行であり、前記平面部（１０３）が前記レッジ（３４）と略同じ高さであり、前記平面部（１０３）が前記レッジ（３４）と前記第１面（１６）の間に配置されている、請求項１０に記載の真空遮断器（２）。
【請求項１２】
請求項７から１１のいずれか１項に記載の真空遮断器（２）を組み立てる方法であって、前記方法が
前記セラミック部材（１０）を供給するステップと、
前記固定留め具（１００）を前記セラミック部材（１０）に取り付けるステップと、
前記シールド部材（３０）を前記セラミック部材（１０）に対して内側に配置するステップと、
前記シールド部材（３０）を前記セラミック部材（１０）で保持するために前記シールド部材（３０）を前記固定留め具（１００）へ押し込むステップであって、前記ベース（１０１）が前記セラミック部材（１０）に取り付けられ、前記少なくとも１つのフレキシブルアーム（１２０、１５０、１６０、１７０、１８０、１９０）が前記シールド部材（３０）と係合する、押し込むステップと、
前記分離可能接点（４）を前記シールド部材（３０）に対して内側に配置するステップと、
を含む、方法。
【請求項１３】
前記ベース（１０１）が円環形であり、前記方法がさらに、
前記シールド部材（３０）を押して部分的に前記ベース（１０１）を通過させるステップ、
を含む、請求項１２に記載の方法。
【請求項１４】
前記セラミック部材（１０）が壁部（１２）と前記壁部（１２）から内側へ延びる円環形突起（１４）を備え、前記ベース（１０１）が円環形であり、前記取り付けるステップが
前記ベース（１０１）を前記突起（１４）へ重ねること、
を含む、請求項１２に記載の方法。
【請求項１５】
前記シールド部材（３０）が円環形レッジ（３４）を備え、前記ベース（１０１）が円環形円筒部（１０２）と前記円筒部（１０２）から外側へ延びる円環形平面部（１０３）を備え、前記押し込むステップが
前記平面部（１０３）が前記レッジ（３４）と略同じ高さとなるように前記レッジ（３４）を前記平面部（１０３）に重ねること、
を含む、請求項１４に記載の方法。
【発明の詳細な説明】
【技術分野】
【０００１】
（関連出願の相互参照）
本出願は、２０１５年４月１３日に出願された米国特許出願第１４／６８４，５９５号に対する優先権及びその利益を主張し、当該出願は参照により本願に援用される。
【０００２】
本開示の概念は概して真空遮断器に関する。本開示の概念はまた真空遮断器用の固定留め具に関する。本開示の概念はさらに真空遮断器を組み立てる方法に関する。
【背景技術】
【０００３】
真空遮断器はしばしば電力回路遮断器の切り替え装置として使用される。真空遮断器は通常、絶縁及び密封された真空室内に配置された分離可能電気接点を含む。真空室は典型的には例えば、限定されないが、多数の端部部材（例えば、限定されないが、金属端板、端部蓋、シールカップなどの金属構成要素）に覆われて部分真空に引くことができるエンベロープを形成する電気的絶縁用の多数のセラミック部分（例えば、限定されないが、多数の管状セラミック部）を含む。セラミック部分は典型的には円筒形だが、他の適切な断面形状を利用しうる。
【０００４】
分離可能接点が真空遮断器を流れる電流で開いた場合、接点表面間に金属蒸気アークが生じる。このアークは、典型的には電流がゼロ交差を通過するのに伴い、電流が遮断されるまで続く。金属蒸気がセラミック絶縁体上で凝縮するのを防ぐため、略円筒形の金属蒸気シールドが典型的には接点と真空エンベロープ内部のセラミックの間に備えられる。
【０００５】
既知の真空遮断器は互いに結合された任意の数のセラミック絶縁体を含みうる。２つのセラミック絶縁体を使用する場合、真空遮断器内でセラミック絶縁体を並べるのに手間のかかる方法が必要となり、製造コストが非常に高価となる。さらに、典型的な単一のセラミック絶縁体は、蒸気シールドを保持するためにインサートが設置される溝をセラミック絶縁体の内部に有する。しかし、溝を機械加工することでセラミック絶縁体に微小な亀裂が生じ、これが絶縁の観点で弱い場所となる。真空遮断器を組み立てる別の方法は、セラミック絶縁体の中央の突起を利用して突起の周りで蒸気シールドを変形させることを含む。そのような構成の既知の欠点は、蒸気シールドが固定されておらず、また組み立てに複合工具が必要となることである。追加の設計には内部の突起の面の１つ又は複数を金属化して、蒸気シールドを突起にろう付けすることが含まれる。このような構成は製造するのが非常に高価になる。
【０００６】
したがって、真空遮断器及び真空遮断器用の固定留め具には改良の余地がある。
【０００７】
真空遮断器の組み立て方法にも改良の余地がある。
【発明の概要】
【０００８】
これらの要求などは、他の利益の中でも迅速で安価にシールド部材をセラミック部材で確実に保持することを可能とする真空遮断器、真空遮断器用の固定留め具及び関連方法を対象とした本開示の概念の実施形態により満たされる。
【０００９】
本開示の概念の一態様に従い、真空遮断器用の固定留め具が提供される。真空遮断器は管状セラミック部材、管状シールド部材及び一対の分離可能接点を含む。シールド部材はセラミック部材に対して内側に配置される。分離可能接点はシールド部材に対して内側に配置される。固定留め具は、セラミック部材に取り付けられる構造のベース及びベースから延びる少なくとも１つのフレキシブルアームを備える。フレキシブルアームは、シールド部材をセラミック部材で保持するため、シールド部材と係合する。
【００１０】
本開示の概念の別の態様として、真空遮断器は管状セラミック部材、セラミック部材に対して内側に配置される管状シールド部材、シールド部材に対して内側に配置される一対の分離可能接点並びに、セラミック部材に取り付けられたベース及びベースから延びる少なくとも１つのフレキシブルアームを備える固定留め具を備える。フレキシブルアームは、シールド部材をセラミック部材で保持するため、シールド部材と係合する。
【００１１】
本開示の概念の別の態様として、真空遮断器を組み立てる方法が提供される。真空遮断器は管状セラミック部材、管状シールド部材、一対の分離可能接点及び固定留め具を備える。固定留め具はベース及びベースから延びる少なくとも１つのフレキシブルアームを備える。方法は、セラミック部材を供給するステップ、固定留め具をセラミック部材に挿入するステップ、セラミック部材に対して内側にシールド部材を配置するステップ、シールド部材をセラミック部材で保持するためにシールド部材を固定留め具へ押し込むステップであって、ベースがセラミック部材に取り付けられ、フレキシブルアームがシールド部材と係合する、押し込むステップ及びシールド部材に対して内側に分離可能接点を配置するステップ、とを含む。
【図面の簡単な説明】
【００１２】
本開示の概念は、好ましい実施形態の以下の説明を添付の図面とともに読むことで完全に理解することができる。
【図１】本開示の概念の実施形態に係る真空遮断器の簡略化された断面図であり、シールド部材がセラミック部材で保持されて示される。
【図２】図１の真空遮断器用の固定留め具の等角図である。
【図３】図２の線３−３に沿った固定留め具の断面図である。
【図４】図１の真空遮断器用のシールド部材の等角図である。
【図５】本開示の概念の実施形態に係る図１の真空遮断器の簡略化された断面図であり、シールド部材がセラミック部材で保持される前の状態が示される。
【図６】図１の真空遮断器の一部の拡大図である。
【発明を実施するための形態】
【００１３】
図面に示され、以下の明細書で説明される特定の要素は本開示の概念の例示の実施形態過ぎないと理解されるべきである。したがって、本明細書で開示される実施形態に関連する特定の向きや他の物理的な特徴は、本開示の概念の範囲に関して制限していると考えられるべきではない。例えば、限定されないが、図示の実施形態において第２構成要素の「上に」置かれた第１構成要素は、別の実施形態では第２構成要素の「下に」又は「並んで」置くこともできる。
【００１４】
本明細書で使用される場合、用語「数」は１又は１より大きい整数（すなわち複数）を意味する。
【００１５】
本明細書で使用される場合、２つ以上の部品が互いに「接続されている」又は「結合されている」という文は、部品が直接、又は１つ若しくは複数の中間部品を介してのいずれかで接合されていることを意味する。
【００１６】
本明細書で使用される場合、２つ以上の部品が互いに「係合する」という文は、部品が直接、又は１つ若しくは複数の中間部品若しくは構成要素を介してのいずれかで互いに接触し、及び／又は互いに対して力を及ぼしていることを意味する。
【００１７】
本明細書で使用される場合、用語「外側の」は固定留め具のような一つの構成要素が、セラミック部材の内部円筒面又はセラミック部材の内部突起の任意の面のような別の構成要素の面を通って延在していない、ということを意味する。さらに、固定留め具のような構成要素はセラミック部材の壁部又は突起のような別の構成要素によって囲まれることがあり、それでもなお、セラミック部材の壁部及び突起の完全に「外側」に置かれうる。
【００１８】
図１は本開示の概念の非制限的な実施形態に従う（簡略化して示される）真空遮断器２を示す。例の真空遮断器２は、（簡略化して示される）一対の分離可能接点４、単一の管状セラミック部材１０、管状シールド部材３０及び固定留め具１００を含む。シールド部材３０はセラミック部材１０に対して内側に置かれている。分離可能接点４はシールド部材３０に対して内側に置かれている。セラミック部材１０は真空遮断器２に電気的絶縁を提供し、また真空を維持することを助ける。動作中に、電流が流れて分離可能接点４が開かれた場合、シールド部材３０は金属蒸気（すなわち分離可能接点４の間に生じた金属蒸気）がセラミック部材１０の上に堆積するのを防ぐ。
【００１９】
固定留め具１００はセラミック部材１０とシールド部材３０の間に置かれている。この後に非常に詳細に論じられるように、固定留め具１００は有利なことにシールド部材３０がセラミック部材１０で保持されることを可能にする。したがって、真空遮断器２が異なる向きにある場合（例えば、真空遮断器２が異なる電気的切り替え装置（図示せず）で利用されている場合）、シールド部材３０はセラミック部材１０で確実に保持される。さらに、示されるように、固定留め具１００はセラミック部材１０の溝を利用することなくシールド部材３０をセラミック部材１０で保持することができる。そのため、溝がない（すなわち、それゆえにそのような溝の機械加工に関連する微小な亀裂による弱い場所がない）ため、有利なことに絶縁が改善される。
【００２０】
図２は固定留め具１００の等角図を示す。固定留め具１００は円環形ベース１０１と、ベース１０１から延びる多数のフレキシブルアーム１２０、１５０、１６０、１７０、１８０、１９０（６個が示されている）を含む。ベース１０１は円環形円筒部１０２と、円筒部１０２から外側に延びる円環形平面部１０３を有する。示されるように、フレキシブルアーム１２０、１５０、１６０、１７０、１８０、１９０のそれぞれは互いに対して間隔が空いている。好ましくは、限定されないが、フレキシブルアーム１２０、１５０、１６０、１７０、１８０、１９０のそれぞれは互いに対して等しく間隔が空いている。より具体的には、ベース１０１は、好ましくは互いに対して等しく間隔が空いている複数の位置１０４、１０５、１０６、１０７、１０８、１０９を有する。すなわち、位置１０４から位置１０９への距離は、通常は位置１０４から位置１０５への距離と同じである。フレキシブルアーム１２０、１５０、１６０、１７０、１８０、１９０のそれぞれは位置１０４、１０５、１０６、１０７、１０８、１０９のうちの対応するものから延びているため、フレキシブルアーム１２０、１５０、１６０、１７０、１８０、１９０は互いに対して等しく間隔が空いている。したがって、フレキシブルアーム１２０からフレキシブルアーム１９０への距離は、通常はフレキシブルアーム１２０からフレキシブルアーム１５０への距離と同じである。
【００２１】
その結果、シールド部材３０は固定留め具１００により均等に支持される。より具体的には、図１を参照すると、シールド部材３０は固定留め具１００のベース１０１を通って延在している。フレキシブルアーム１２０、１５０、１６０、１７０、１８０、１９０（図２）は、シールド部材３０をセラミック部材１０で保持するため、シールド部材３０と係合する。図１に示されるように、フレキシブルアーム１２０は部分的にシールド部材３０を支持する。同様に、フレキシブルアーム１７０は部分的にシールド部材３０を支持する。フレキシブルアーム１５０、１６０、１８０、１９０（図２）も同様に部分的にシールド部材３０を支持することが理解されるであろう。フレキシブルアーム１２０、１５０、１６０、１７０、１８０、１９０が互いに対して等しく間隔が空いているため、有利なことに固定留め具１００上でシールド部材３０を均等に支持することができる。
【００２２】
図３を参照すると、フレキシブルアーム１２０は隆起部１２１と鉤爪部１２７を含む。示されるように、ベース１０１は中心軸１１０を有する。隆起部１２１と鉤爪部１２７のそれぞれは中心軸１１０に対して凹状となっている（すなわち、中心軸と対向し、内側へ曲げられている）。以下に非常に詳細に論じられるように、シールド部材３０が真空遮断器２内で組み立てられる場合、隆起部１２１と鉤爪部１２７のそれぞれが共に動作してシールド部材３０をセラミック部材１０で保持する。
【００２３】
引き続き図３を参照すると、鉤爪部１２７はベース１０１から離れている。隆起部１２１は鉤爪部１２７をベース１０１へ接続する。隆起部１２１は多数の脚１２２、１２４、１２６を含む。鉤爪部１２７は多数の脚１２８、１３０、１３２を含む。脚１２２はベース１０１から延びている。脚１２４は脚１２２を脚１２６へ接続する。脚１２６は脚１２４を脚１２８へ接続する。脚１２８は脚１２６を脚１３０へ接続する。脚１３０は脚１２８を脚１３２へ接続する。脚１２４は脚１２６に対して角度１３４を成している。脚１３０は脚１３２に対して角度１３６を成している。角度１３６は好ましくは９０度未満である。示されるように、角度１３４は角度１３６より大きい。しかし、フレキシブルアーム（図示せず）が、シールド部材３０をセラミック部材１０で保持するという所望の機能を果たすために脚部材（図示せず）の間で任意の適切な代替の大きさ及び／又は角度を有することは本開示の概念の範囲内である。他のフレキシブルアーム１５０（図２）、１６０（図２）、１７０、１８０、１９０のそれぞれが好ましくはフレキシブルアーム１２０と略同様に構成されることが理解されるであろう。
【００２４】
図４はシールド部材３０の等角図を示す。示されるように、シールド部材３０は環状溝３２と円環形レッジ３４を有する。図５を参照すると、セラミック部材１０は壁部１２と壁部１２から内側へ延びる円環形突起１４を含む。真空遮断器２を組み立てる方法はセラミック部材１０を供給するステップ、固定留め具１００をセラミック部材１０に取り付けるステップ、セラミック部材１０に対して内側にシールド部材３０を配置するステップを含むことが理解されるであろう。次に、方法はシールド部材３０を固定留め具１００へ押し込むステップ、シールド部材３０に対して内側に分離可能接点４（図１）を配置するステップを含む。シールド部材３０は、シールド部材３０をセラミック部材１０で保持するため、固定留め具１００へ押し込まれる。
【００２５】
固定留め具１００はまずセラミック部材１０に挿入される。具体的には、固定留め具１００のベース１０１はセラミック部材１０へ取り付けるために突起１４に重ねられる。シールド部材３０が押されて一部がベース１０１を通り、レッジ３４が平面部１０３と係合する。示されるように、シールド部材３０が固定留め具１００へ押し付けられる前は、フレキシブルアーム１２０、１７０（及び図２のフレキシブルアーム１５０、１６０、１８０、１９０）はベース１０１に対して略内側へ延びる。この位置では、フレキシブルアーム１７０はベース１０１の平面部１０３に対して１００度から１１０度の間の角度１７２で延びている。
【００２６】
引き続き図５を参照すると、組み立て中にシールド部材３０はフレキシブルアーム１２０、１７０（及び図２のフレキシブルアーム１５０、１６０、１８０、１９０）を動かす。より具体的には、シールド部材３０は中心軸３６を有する。シールド部材３０が固定留め具１００へと押し込まれると、フレキシブルアーム１２０、１７０（及び図２で示されるフレキシブルアーム１５０、１６０、１８０、１９０）は中心軸３６から離れる。
【００２７】
説明のため、組み立てた真空遮断器２の拡大図を示す図６を参照する。示されるように、突起１４は第１面１６と、第１面１６に略垂直な第２面１８を有する。第１面１６は壁部１２と略平行な方向１７を向いている。平面部１０３は第１面１６と略同じ高さであり、またレッジ３４とも略同じ高さである。固定留め具１００の円筒部１０２（図２及び図３）は突起１４の第２面１８と略平行であることが理解されるであろう。さらに、平面部１０３はレッジ３４と略平行であり、第１面１６とレッジ３４の間に置かれている。
【００２８】
図６に示される位置では、フレキシブルアーム１２０は、シールド部材３０をセラミック部材１０で保持できるようにシールド部材３０に押されている。示されるように、フレキシブルアーム１２０は突起１４とシールド部材３０の間に置かれている。より具体的には、脚１２２、１２８はそれぞれ突起１４の第２面１８と略平行である。脚１２４はシールド部材３０から離れるように脚１２２から延びている。脚１２６はシールド部材３０へ向かうように脚１２４から延びている。脚１３０はシールド部材３０から離れるように脚１２８から延びている。脚１３２はシールド部材へ向かうように脚１３０から延びている。隆起部１２１と鉤爪部１２７のこの構成は、有利なことにシールド部材３０をセラミック部材１０で保持するのを助ける。
【００２９】
加えて、固定留め具１００は３つの接触箇所で突起１４に保持されており、そのため有利なことに固定留め具１００と突起１４の間は比較的しっかりと接続されている。示されるように、平面部１０３は（図６の向きで）突起１４の上部と略同じ高さであり、脚１２４及び／又は脚１２６が（図６の向きで）突起１４の中央部で突起１４と係合し、脚１３０及び／又は脚１３２が（図６の向きで）突起１４の底部と係合する。このようにして、固定留め具１００は有利なことにシールド部材３０が保持される比較的堅固な構造を提供する。
【００３０】
示されるように、隆起部１２１は第２面１８と係合し、第２面１８は逆に隆起部１２１に対して方向１７と垂直な方向２０へ力を及ぼす。脚１３２は隆起部１２１へ接続されているため、第２面１８からの隆起部１２１への力は脚１３２をシールド部材３０へと押し込む。より具体的には、脚１３２は脚１３０から延び、一部がシールド部材３０の溝３２へと延びる。他のフレキシブルアーム１５０、１６０、１７０、１８０、１９０（図２）のそれぞれの脚が、真空遮断器２が組み立てられる場合に同様に一部が溝３２へと延びることが理解されるであろう。溝３２と脚１３２の間の関係は、有利なことにシールド部材３０が方向３７へ動くことを防ぐ。しかし、適切な代替の真空遮断器（図示せず）では、シールド部材（図示せず）の中へは延びずにシールド部材上に置かれるフレキシブルアーム（図示せず）を利用しうることが理解されるであろう。
【００３１】
真空遮断器２が円環形溝３２及び円環形レッジ３４と関連して説明されてきたが、本開示の概念はシールド部材（図示せず）を固定留め具１００で保持し、結果的に突起１４で保持するという所望の機能を果たすために任意の適切な代替構成を利用しうることが理解されるであろう。例えば、限定されないが、円環形レッジ３４を利用するのではなく、シールド部材（図示せず）を固定留め具１００で保持するという所望の機能を果たすために、シールド部材（図示せず）の胴部から外側へ延びる任意の数の突起（図示せず）を利用することは本開示の概念の範囲内である。加えて、円環形溝３２を利用するのではなく、フレキシブルアーム１２０、１５０、１６０、１７０、１８０、１９０のそれぞれがその中及び／又はその上へと延びるような、細長い穴及び／又は突起（図示せず）を利用することは本開示の概念の範囲内である。さらに、ろう付け部材（例えば、限定されないが、図示しないワイヤやワッシャ）並びに、固定留め具１００及びろう付け部材（図示せず）へろう付けされる円筒形シールド部材（すなわち、図示しないが、溝若しくは細長い穴がない、及び／又はレッジがない）を利用することは本開示の概念の範囲内である。
【００３２】
脚１３２が溝３２の中へと延びるため、脚１３０、１３２は方向３７へ引くことができず、シールド部材３０は方向３７へ引くことができない。脚１３２は溝３２の中へと延び、溝３２に力を及ぼす。さらに、脚１３０、１３２は、脚１３２が溝３２の中へと延びる場合は脚１３０、１３２がシールド部材３０と突起１４の間に収まらないため、方向３７へ引くことができず、有利なことにシールド部材３０がセラミック部材１０で保持される。別の言い方をすれば、脚１３０は接合部１３１で脚１３２と接続する。接合部１３１はシールド部材３０と距離１３３だけ離れている。距離１３３は第２面１８とシールド部材３０の間の距離１９より大きい。その結果、シールド部材３０は隆起部１２１と鉤爪部１２７により部分的にセラミック部材１０で保持される。
【００３３】
シールド部材３０はまた、シールド部材３０のレッジ３４により部分的にセラミック部材１０で保持される。レッジ３４が突起１４の内径よりも大きな直径を持つため、シールド部材３０は突起１４を通して引くことができない。このようにして、有利なことにシールド部材３０をセラミック部材１０で保持することができる。
【００３４】
フレキシブルアーム１２０（及びフレキシブルアーム１５０、１６０、１７０、１８０、１９０（図２））とレッジ３４が共に動作してシールド部材３０をセラミック部材１０で保持するため、真空遮断器２は有利なことに異なる電気的切り替え装置（図示せず）において利用することができる。より具体的には、真空遮断器２が組み立てられる場合に、シールド部材３０は方向３７又は方向３７と反対の方向へ引くことができない。その結果、真空遮断器２は電気的切り替え装置（図示せず）内で任意の向きに置くことができる。例えば、限定されないが、真空遮断器２は（示されるように）レッジ３４を平面部１０３の上にして利用することができ、レッジを平面部と隣り合わせ（図示せず）にして利用することができ、又はレッジを平面部の下（図示せず）にして利用することができる。
【００３５】
加えて、溝の機械加工の必要なしにシールド部材３０を単一のセラミック部材１０で保持することができるため、そのような溝に関連する絶縁の弱い場所を著しく小さくすることができる。説明のため、固定留め具１００が壁部１２と突起１４のそれぞれの両方に対して完全に外側に置かれていることを示す図６を参照する。別の言い方をすれば、管状セラミック部材１０が固定留め具１００を囲んでいるが、固定留め具１００に壁部１２又は突起１４の中へと延びる部分はまったくない。むしろ、固定留め具１００は突起１４の外面に置かれている。すなわち、固定留め具１００に第１面１６、第２面１８又は壁部１２（すなわち壁部１２の内側円筒面）のいずれかの部分を通って延びる部分はまったくない。
【００３６】
したがって、本開示の概念が、他の利益の中でも溝を利用することなくシールド部材３０を単一のセラミック絶縁体１０で保持することを可能とする、改良された（例えば、限定されないが、迅速で安価に組み立てられ、確実に保持される）真空遮断器２、その為の固定留め具１００及び関連方法を提供し、真空遮断器２を異なる電気的切り替え装置（図示せず）において利用可能としつつ、有利なことに真空遮断器２の絶縁能力を改善することが理解されるであろう。
【００３７】
本開示の概念の具体的な実施形態が詳細に説明されてきたが、これら詳細に対する様々な変更及び代替を本開示の全体の教示を踏まえて開発可能であることが当業者には理解されるであろう。したがって、開示された特定の配置は単なる例示であって、かつ、添付される請求の範囲の全容及びあらゆるすべての均等物により与えられる本開示の概念の範囲に関して限定しないことが意図されている。
【図１】
0006741348.tif 000002
【図２】
0006741348.tif 000003
【図３】
0006741348.tif 000004
【図４】
0006741348.tif 000005
【図５】
0006741348.tif 000006
【図６】
0006741348.tif 000007